(57)【要約】【解決手段】  自動的に力が加わりかつ力が緩む自在つかみ具は、工作物に動きを与えるべく工作物に係合可能で、相対回転可能に連結された第一部材と第二部材とを備える。第二部材は、複数の長穴を備える作動部を有する。各長穴は、第一部分と第二部分とを有し、第一および第二部分は、それぞれ分岐する経路を規定する。第一部材はつかみ部を有し、つかみ部は複数のつかみ材と複数の位置合わせ部材とを有する。各つかみ材は、それに連結されるピンを有する。位置合わせ部材の一つは、隣接する一対のつかみ材間に配置される。力伝達材の一つは第一部分の一つに係合し、位置合わせ部材の一つは第二部分の一つに係合する。第一部材に対する第二部材の動きにより、第一部分が各力伝達材に接触して、つかみ材を作動させ、かつ第二部分が位置合わせ部材に接触して、第二部材に対して第一部材の方向を保持する。【選択図】      図１
2007518584.tif 000002
【特許請求の範囲】
【請求項１】
工作物に加工を施すために工作物に係合する自在つかみ具であって、
相対回転して少なくとも一つのつかみ材を動かすよう連結された第一部材と第二部材とを備え、
前記第一部材はつかみ部を有し、このつかみ部は、第一開口と、その第一開口から延びる少なくとも一つのガイドと、前記少なくとも一つのつかみ材とを有して、前記工作物に係合するよう構成され、
少なくとも一つのつかみ材の各々は、前記工作物に係合するための本体部と、前記少なくとも一つのガイドの一つに係合するよう構成されたアーム部と、前記アーム部に隣接する力伝達材とを有し、
前記第二部材は作動部を有し、この作動部は、前記第一開口と同心の第二開口と、前記第二開口の外側に隣接して配置される少なくとも一つの長穴とを有し、
前記少なくとも一つの長穴の各々は、前記少なくとも一つのつかみ材の一つの前記力伝達材に係合するよう構成された第一部分を有し、
前記第一部材に対する前記第二部材の動きが、少なくとも一つの第一部分の各々を、各力伝達材に接触させて動かし、
その力伝達材が、前記少なくとも一つのつかみ材の各々を、前記少なくとも一つのガイドの各々に沿って作動させる
ことを特徴とする自在つかみ具。
【請求項２】
前記第一部材に配置され、前記第一部材と第二部材とを所望角度位置に固定するよう作動可能なロック機構をさらに有する
ことを特徴とする請求項１に記載のつかみ具。
【請求項３】
工作物に加工を施すために工作物に係合する自在つかみ具であって、
相対回転して少なくとも一つのつかみ材を動かすよう連結された第一部材と第二部材とを備え、
前記第一部材は、前記第二部材の対向面に配置された一対の部材を有し、
前記第一部材はつかみ部を有し、このつかみ部は、第一開口と、その第一開口から延びる少なくとも一つのガイドと、前記少なくとも一つのつかみ材とを有して、前記工作物に係合するよう構成され、
少なくとも一つのつかみ材の各々は、前記工作物に係合するための本体部と、前記少なくとも一つのガイドの一つに係合するよう構成されたアーム部と、前記アーム部に隣接する力伝達材とを有し、
前記第二部材は作動部を有し、この作動部は、前記第一開口と同心の第二開口と、前記第二開口に隣接して配置される少なくとも一つの長穴とを有し、
前記少なくとも一つの長穴の各々は、前記少なくとも一つのつかみ材の一つの前記力伝達材に係合するよう構成された第一部分を有し、
前記第一部材に対する前記第二部材の動きが、少なくとも一つの第一部分の各々を、各力伝達材に接触させて動かし、
その力伝達材が、前記少なくとも一つのつかみ材の各々を、前記少なくとも一つのガイドの各々に沿って作動させる
ことを特徴とする自在つかみ具。
【請求項４】
スペーサが前記一対の部材を互いに連結してポケットを規定し、
そのポケット内に配置されたバネが前記第二部材に接触して、前記第二部材は、通常、開位置に配置される
ことを特徴とする請求項３に記載のつかみ具。
【請求項５】
工作物に加工を施すために工作物に係合する自在つかみ具であって、
相対回転して少なくとも一つのつかみ材を動かすよう連結された第一部材と第二部材とを備え、
前記第一部材はつかみ部を有し、このつかみ部は、第一開口と、その第一開口から延びる少なくとも一つのガイドと、前記少なくとも一つのつかみ材とを有して、前記工作物に係合するよう構成され、
少なくとも一つのつかみ材の各々は、前記工作物に係合するための本体部と、前記少なくとも一つのガイドの一つに係合するよう構成されたアーム部と、前記アーム部に隣接する力伝達材とを有し、
前記つかみ材の前記アーム部は、さらに、前記本体部の両端に配置された一対のアームを有し、前記つかみ材が略Ｕ字状をなすようにされており、
前記第二部材は作動部を有し、この作動部は、前記第一開口と同心の第二開口と、前記第二開口に隣接して配置される少なくとも一つの長穴とを有し、
前記少なくとも一つの長穴の各々は、前記少なくとも一つのつかみ材の一つの前記力伝達材に係合するよう構成された第一部分を有し、
前記第一部材に対する前記第二部材の動きが、少なくとも一つの第一部分の各々を、各力伝達材に接触させて動かし、
その力伝達材が、前記少なくとも一つのつかみ材の各々を、前記少なくとも一つのガイドの各々に沿って作動させる
ことを特徴とする自在つかみ具。
【請求項６】
前記第一部材は、さらに、複数のスタッドを有し、
一のスタッドは、隣接した一対のガイド間に配置され、前記力伝達材と平行に延在する
ことを特徴とする請求項１に記載のつかみ具。
【請求項７】
前記各長穴は、さらに、前記第一部分から延びる第二部分を有し、
前記スタッドの一つが、前記第二部分の一つに係合し、前記第一部材と前記第二部材との間の相対回転中、前記第一および第二開口が同心配置を保つようにされた
ことを特徴とする請求項６に記載のつかみ具。
【請求項８】
前記第一および第二部分が一点から分岐する
ことを特徴とする請求項７に記載のつかみ具。
【請求項９】
前記つかみ部および作動部は、前記工作物に周方向に係合する
ことを特徴とする請求項１に記載のつかみ具。
【請求項１０】
前記つかみ部および作動部は、準環状に構成されている
ことを特徴とする請求項１に記載のつかみ具。
【請求項１１】
前記つかみ部は、複数のつかみ材を有する
ことを特徴とする請求項１に記載のつかみ具。
【請求項１２】
ロック機構が、前記一対の部材間で前記第一部材に連結され、
前記ロック機構が第一作動位置から第二作動位置へ動くことにより、前記第一部材と第二部材とを所望角度位置で固定する
ことを特徴とする請求項３に記載のつかみ具。
【請求項１３】
工作物に加工を施すために工作物に係合する自在つかみ具であって、
相対回転して少なくとも一つのつかみ材を動かすよう連結された第一部材と第二部材とを備え、
前記第一部材はつかみ部を有し、このつかみ部は、第一開口と、その第一開口から延びる少なくとも一つのガイドと、前記少なくとも一つのつかみ材とを有して、前記工作物に係合するよう構成され、
少なくとも一つのつかみ材の各々は、前記工作物に係合するための本体部と、前記少なくとも一つのガイドの一つに係合するよう構成されたアーム部と、前記アーム部に隣接する力伝達材とを有し、
前記第二部材は作動部を有し、この作動部は、前記第一開口と同心の第二開口と、前記第二開口に隣接して配置される少なくとも一つの長穴とを有し、
前記少なくとも一つの長穴の各々は、前記少なくとも一つのつかみ材の一つの前記力伝達材に係合するよう構成された第一部分を有し、
前記第一部材に対する前記第二部材の動きが、少なくとも一つの第一部分の各々を、各力伝達材に接触させて動かし、
その力伝達材が、前記少なくとも一つのつかみ材の各々を、前記少なくとも一つのガイドの各々に沿って作動させるようなされ、
単一機能を果たす前記つかみ材は、別の機能を果たすつかみ材に置き換え可能とされた
ことを特徴とする自在つかみ具。
【請求項１４】
工作物に加工を施すために工作物に係合する自在つかみ具であって、
相対回転して少なくとも一つのつかみ材を動かすよう連結された第一部材と第二部材とを備え、
前記第一部材はつかみ部を有し、このつかみ部は、第一開口と、その第一開口から延びる少なくとも一つのガイドと、前記少なくとも一つのつかみ材とを有して、前記工作物に係合するよう構成され、
少なくとも一つのつかみ材の各々は、前記工作物に係合するための本体部と、前記少なくとも一つのガイドの一つに係合するよう構成されたアーム部と、前記アーム部に隣接する力伝達材とを有し、
前記第二部材は作動部を有し、この作動部は、前記第一開口と同心の第二開口と、前記第二開口に隣接して配置される少なくとも一つの長穴とを有し、
前記少なくとも一つの長穴の各々は、前記少なくとも一つのつかみ材の一つの前記力伝達材に係合するよう構成された第一部分を有し、
前記第一部材に対する前記第二部材の動きが、少なくとも一つの第一部分の各々を、各力伝達材に接触させて動かし、
その力伝達材が、前記少なくとも一つのつかみ材の各々を、前記少なくとも一つのガイドの各々に沿って作動させるようなされ、
前記つかみ材は、切り目を付けて切断する
ことを特徴とする自在つかみ具。
【請求項１５】
工作物に加工を施すために工作物に係合する自在つかみ具であって、
相対回転して少なくとも一つのつかみ材を動かすよう連結された第一部材と第二部材とを備え、
前記第一部材はつかみ部を有し、このつかみ部は、第一開口と、その第一開口から延びる少なくとも一つのガイドと、前記少なくとも一つのつかみ材とを有して、前記工作物に係合するよう構成され、
少なくとも一つのつかみ材の各々は、前記工作物に係合するための本体部と、前記少なくとも一つのガイドの一つに係合するよう構成されたアーム部と、前記アーム部に隣接する力伝達材とを有し、
前記第二部材は作動部を有し、この作動部は、前記第一開口と同心の第二開口と、前記第二開口に隣接して配置される少なくとも一つの長穴とを有し、
前記少なくとも一つの長穴の各々は、前記少なくとも一つのつかみ材の一つの前記力伝達材に係合するよう構成された第一部分を有し、
前記第一部材に対する前記第二部材の動きが、少なくとも一つの第一部分の各々を、各力伝達材に接触させて動かし、
その力伝達材が、前記少なくとも一つのつかみ材の各々を、前記少なくとも一つのガイドの各々に沿って作動させるようなされ、
前記少なくとも一つのつかみ材の動きが直線的である
ことを特徴とする自在つかみ具。
【請求項１６】
工作物に加工を施すために工作物に係合する自在つかみ具であって、
相対回転して少なくとも一つのつかみ材を動かすよう連結された第一部材と第二部材とを備え、
前記第一部材はつかみ部を有し、このつかみ部は、第一開口と、その第一開口から延びる少なくとも一つのガイドと、前記少なくとも一つのつかみ材とを有して、前記工作物に係合するよう構成され、
少なくとも一つのつかみ材の各々は、前記工作物に係合するための本体部と、前記少なくとも一つのガイドの一つに係合するよう構成されたアーム部と、前記アーム部に隣接する力伝達材とを有し、
前記第二部材は作動部を有し、この作動部は、前記第一開口と同心の第二開口と、前記第二開口に隣接して配置される少なくとも一つの長穴とを有し、
前記少なくとも一つの長穴の各々は、前記少なくとも一つのつかみ材の一つの前記力伝達材に係合するよう構成された第一部分を有し、
前記第一部材に対する前記第二部材の動きが、少なくとも一つの第一部分の各々を、各力伝達材に接触させて動かし、
その力伝達材が、前記少なくとも一つのつかみ材の各々を、前記少なくとも一つのガイドの各々に沿って作動させるようなされ、
前記少なくとも一つのつかみ材の動きが曲線をなす
ことを特徴とする自在つかみ具。
【請求項１７】
前記少なくとも一つのガイドとして、複数のガイドが含まれる
ことを特徴とする請求項１に記載のつかみ具。
【請求項１８】
少なくとも一つのガイドの各々が、放射状に延びる
ことを特徴とする請求項１に記載のつかみ具。
【請求項１９】
少なくとも一つのガイドの各々が、曲線経路に沿って延びる
ことを特徴とする請求項１に記載のつかみ具。
【請求項２０】
工作物に加工を施すために工作物に係合する自在つかみ具であって、
相対回転可能に連結された第一部材と第二部材とを備え、
前記第二部材は、複数の長穴を備える作動部を有し、その各長穴は、第一部分と第二部分とを有し、その第一部分と第二部分とは、それぞれ分岐する経路を規定し、
前記第一部材は、複数のつかみ材を備えるつかみ部を有し、各つかみ材は、それに隣接する力伝達材と、少なくとも一つの位置合わせ部材とを有し、その位置合わせ部材の一つは、一対のつかみ材間に配置され、
前記力伝達材の一つは第一部分の一つに係合し、かつ前記位置合わせ部材の一つは第二部分の一つに係合して、前記第一部材に対する前記第二部材の動きにより、前記第一部分が前記各力伝達材に接触して、前記つかみ材を作動させ、かつ前記第二部分が前記位置合わせ部材に接触して、第二部材に対する第一部材の位置を保持する
ことを特徴とする自在つかみ具。
【請求項２１】
前記第一部材が第一開口を有し、かつ前記第二部材が第二開口を有し、
これらの開口は、相対動作時、同心に配置される
ことを特徴とする請求項２０に記載のつかみ具。
【請求項２２】
ロック機構が、前記第一部材と第二部材とを所望角度位置に固定するよう動作可能に、前記第一部材に配置される
ことを特徴とする請求項２０に記載のつかみ具。
【請求項２３】
前記つかみ部および作動部は、前記工作物に周方向に係合する
ことを特徴とする請求項２０に記載のつかみ具。
【請求項２４】
前記つかみ部および作動部は、準環状に構成されている
ことを特徴とする請求項２０に記載のつかみ具。
【請求項２５】
工作物に加工を施すために工作物に係合する自在つかみ具であって、
相対回転可能に連結された第一部材と第二部材とを備え、
前記第二部材は、複数の長穴を備える作動部を有し、その各長穴は、第一部分と第二部分とを有し、その第一部分と第二部分とは、それぞれ分岐する経路を規定し、
前記第一部材は、複数のつかみ材を備えるつかみ部を有し、各つかみ材は、それに隣接する力伝達材と、少なくとも一つの位置合わせ部材とを有し、その位置合わせ部材の一つは、一対のつかみ材間に配置され、
単一機能を果たす前記つかみ材は、別の機能を果たすつかみ材に置き換え可能とされ、
前記力伝達材の一つは第一部分の一つに係合し、かつ前記位置合わせ部材の一つは第二部分の一つに係合して、前記第一部材に対する前記第二部材の動きにより、前記第一部分が前記各力伝達材に接触して、前記つかみ材を作動させ、かつ前記第二部分が前記位置合わせ部材に接触して、第二部材に対する第一部材の位置を保持する
ことを特徴とする自在つかみ具。
【請求項２６】
工作物に加工を施すために工作物に係合する自在つかみ具であって、
相対回転可能に連結された第一部材と第二部材とを備え、
前記第二部材は、複数の長穴を備える作動部を有し、その各長穴は、第一部分と第二部分とを有し、その第一部分と第二部分とは、それぞれ分岐する経路を規定し、
前記第一部材は、複数のつかみ材を備えるつかみ部を有し、各つかみ材は、それに隣接する力伝達材と、少なくとも一つの位置合わせ部材とを有し、その位置合わせ部材の一つは、一対のつかみ材間に配置され、
前記つかみ材は、切り目を付けて切断することが可能であり、
前記力伝達材の一つは第一部分の一つに係合し、かつ前記位置合わせ部材の一つは第二部分の一つに係合して、前記第一部材に対する前記第二部材の動きにより、前記第一部分が前記各力伝達材に接触して、前記つかみ材を作動させ、かつ前記第二部分が前記位置合わせ部材に接触して、第二部材に対する第一部材の位置を保持する
ことを特徴とする自在つかみ具。
【発明の詳細な説明】
【技術分野】
【０００１】
本発明は、手工具に関し、より詳しくは、手動操作によって自動的に力が加わり、異なる寸法および形状の工作物に係合するように自動的に構成され、作動力が解放されたときに力が緩む自在つかみ具に関する。
【背景技術】
【０００２】
様々な形式の自在つかみ具が、当技術分野で知られている。具体的には、いくつかの公知の自在つかみ具として、モンキーレンチ、自在ソケットレンチ、パイプレンチ、バイスグリップ、クリンパ、ボルトナットカッタ、パイプチューブカッタ、および他の様々な「プライヤ型」つかみ具の形で具現化されている。モンキーレンチは、第一部材から延びる第二爪部材に対して可動な第一爪部材上に形成された歯付きラックに係合する、定置回転可能なねじを有する可変開端レンチである。自在ソケットレンチは、可動部材を内蔵する円胴を含み、円胴に対する第一部材の動きにより、前記部材が、工作物に係合するために円胴に対して動くようになされている。一つの切削工具タイプでは、固く締めつけてチューブのまわりを回転させると、チューブに切り傷をつけて切断する可変切断爪を有する。他のタイプの切削工具は、切刃切断機構を採る。プライヤ型器具は、工作物に係合するために、少なくとも二つの爪を、互いの方向に動かすように連結された一対の第一部材を含む。圧着工具は、直径が一定である先細部品の相互作用を介して伸長または収縮する特殊分割ダイス型、または工作物をクリンピングするための特殊ヘッドに改変された爪を有するプライヤ型器具クリンパなどの様々な機能を提供する。
【発明の開示】
【発明が解決しようとする課題】
【０００３】
それぞれの先行技術器具には短所がある。モンキーレンチは、使用中に、自動的にサイズを変更することができない。ソケット器具は、その使用可能寸法の有効範囲に制限がある。言い換えれば、多くのソケットは、比較的標準範囲の工作物用に必要とされ、その工作物は、標準的な構成でなければならず、かつその工作物は、軸方向に係合されなければならない。
【０００４】
プライヤ型器具は、適切な補正力および工具の操作を助ける安定性をともなった状態で、円周のまわりで、または円周内で均等に工作物に係合できない。また、プライヤ型器具は、点荷重構成で加えられた機械力を集中させ、工作物表面に圧点および応力集中部を生じる。
【０００５】
チューブ切断器具は片手で使用することができない。チューブ切断器具、特に、ナイフブレードカッタの他の短所は、刃によってチューブに対し不均整に切断力が加わるため、配管が歪められることがある点である。ねじ歯車型チューブカッタなどの他のチューブ切断器具は、切込みをさらに深くするために、切断ホイールによりチューブに加える力を強くしながらチューブ円周のまわりで切断ホイールを続けて回転させる必要がある。
【０００６】
先行技術の圧着器具は、簡単な手工具で対称的にバランスのとれた圧着を行うことができない。たとえば、金属スリーブを液圧ホースに圧着するには、適切な使用のためにプレス機および適切なダイス型を必要とする。また、これまでに入手可能なつかみ具のすべてが、工作物を緩く保持しているか、または点圧力荷重構成で保持力を集中させ、焦点を合わせるようにして工作物を保持している。この保持力の集中化は、特定点へ力を集中させ、しばしば工作物を変形させることになる。また、これまでに入手可能なレンチ用途用の工具は、容易に工作物の寸法に合わせることができなかった。
【課題を解決するための手段】
【０００７】
したがって、先行技術においては、手動操作によって工具動作時に自動的に力が加わり、工作物に係合させるために自動的に寸法調整することができ、作動力が解放されたときに力が緩むとともに、広範な使用可能寸法を有し、工作物に軸方向および半径方向に係合し、かつ操作時の安定性のための補正力を提供する自在つかみ具が求められている。グリッピング範囲を寸法変更する能力に加えて、本発明のつかみ具は、つかみ具に加えられた力を、対称的にバランスよくかつ有利な機構で、ならびに効率的な方法で対称的に工作物に伝える。このようにして工作物のまわりの保持力および回転力を均等に分散させ、それにより、工作物のまわりの機械的応力の最も効率的な分散を可能とする。工作物を扱うために必要な任意の力に対して、本発明は、工作物の最も広範な面積にわたって作用力を分散することにより、工作物のひずみを最小に抑えながら作業を達成する。本発明の自在つかみ具の他の利点は、コストを軽減させ、生産性を向上させ、工作物のマルチアクセス係合を可能にすることなどで、機構的に有利に、効率的に、均等に、かつバランスよく作用力を分散させることができることである。
【発明を実施するための最良の形態】
【０００８】
本発明の一つの主要な側面は、工作物に加工を施すために工作物に係合する自在つかみ具を目的としている。そのつかみ具は、相対回転可能に連結された第一部材と第二部材とを備え、作動されると少なくとも一つのつかみ材すなわち工作物係合部材に動きを生じさせる。第一部材は、工作物に係合するよう構成されたつかみ部を有し、このつかみ部は、第一開口と、その第一開口から延びる少なくとも一つのガイドと、少なくとも一つのつかみ材とを有する。少なくとも一つのつかみ材の各々は、工作物に係合するための本体部と、ガイドの一つに係合するよう構成されたアーム部と、アーム部に隣接する力伝達材とを有する。第二部材は作動部を有し、この作動部は、第一開口と同心の第二開口と、第二開口に隣接して配置された少なくとも一つの長穴とを有する。各長穴は、力伝達材の一つに係合するように構成された第一部分を有し、第一部材に対する第二部材の動きが、同時に少なくとも一つの第一部分の各々を力伝達材の一つに接触させ、かつ力伝達材の一つを動かし、その力伝達材が、ガイドに沿ってつかみ材を作動させるようになされている。
【０００９】
本発明のさらに他の主要な側面は、相対回転可能に連結された第一部材と第二部材とを備え、工作物に加工を施すために工作物に係合する自在つかみ具を目的としている。第二部材は、複数の長穴を有する作動部を備える。それら長穴の各々は、第一部分と第二部分とを有し、第一および第二部分は、それぞれ一点から分岐する経路を規定する。第一部材はつかみ部を備え、このつかみ部は、複数のつかみ材と、少なくとも一つの位置合わせ部材を有する。各つかみ材は、それに隣接する力伝達材を有する。各位置合わせ部材は、一対のつかみ材の間に配置される。力伝達材の一つは、一つの第一部分に係合し、かつ位置合わせ部材の一つは、一つの第二部分に係合し、第一部材に対する第二部材の動きにより、第一部分が各力伝達材に接触して、つかみ材を作動させ、かつ第二部分が位置合わせ部材に接触して、第二部材に対して第一部材の方向を保持する。
【実施例】
【００１０】
以下の詳細な説明では、添付図面を参照する。添付図面では、同じ参照番号は、同じ部品を示している。
【００１１】
図１は、本発明の原理に基づく自在つかみ具２０の分解斜視図を示す。自在つかみ具２０は、相対回転可能に連結された第一部材２２と第二部材２４とを、主として有する。本発明の一実施例では、第一部材２２は、第二部材２４の対向面に配置された一対の部材２３ａ，２３ｂを有する。本発明の教示の範囲内として、第一部材２２は、単一の部材２３ａまたは２３ｂで構成してもよいし、または当業者にとって重要な他の設計要素に基づいて所望されて一対の部材２３ａ，２３ｂとして構成してもよい。第一部材２２は第一握り部２１を有し、第二部材２４は第二握り部２５を有する。第一部材２２と第二部材２４との間の相対回転は、複数のつかみ材２６に同心の直線的な動きを生じさせる。
【００１２】
第一部材２２は、さらに、つかみ部２８を有する。つかみ部２８は、第一握り部２１の一端に配置され、且つ工作物（不図示）に係合するよう構成され、第一開口３０、この第一開口３０から放射状に延びる複数のガイド３２、およびつかみ材２６を備える。そのつかみ材は、それぞれ、工作物に係合するための本体部３４、ガイド３２の一つに係合するよう構成されたアーム部３６、およびそのアーム部３６に連結される力伝達材３８を有する。本発明の教示の範囲内として、つかみ材は、任意の好適な方法で一体的に形成されうる。
【００１３】
本発明の一実施例では、つかみ材２６のアーム部３６は、さらに、本体部３４の両端に配置された一対のアーム３７ａ，３７ｂを有し、つかみ材２６が略Ｕ字状をなすようにされている。この場合、前記一対のアーム３７ａ，３７ｂは、第一部材２３ａ，２３ｂそれぞれに形成された各ガイド３２に係合することを、当業者は認識するであろう。前記一対のアーム３７ａ，３７ｂの各々は、後述するようなつかみ材２６の位置決めおよび作動のために、力伝達材３８の一つが連続するよう位置合わせされた穴４０を有する。
【００１４】
本発明の教示の範囲内として、つかみ材は、所望のように、工作物に係合する滑らかなあるいは粗い表面を有してもよい。たとえば、粗い表面は、溝を付けたり、ギザギザにしたり、切込みを入れたり、または他の任意の好適な仕上げとすればよい。さらに、力伝達材３８は、本明細書で述べるような機能を提供するために、ピンまたは他の好適な構造で構成できる。その上、第一部材および／またはその各構成部材を、ハンドルと呼ぶことがあり、第二部材をレバーと呼ぶことがある。本明細書で使用される用語は、意味を限定するものではないことを、当業者は認識するであろう。むしろ、これらの用語は、本明細書において構成や機能を大まかに説明するために使用される。
【００１５】
第二部材２４は、さらに作動部４２を備え、この作動部４２は、第二握り部２５の一端に配置され、第一開口３０と同心の第二開口４４と、その第二開口４４に隣接して配置される複数の長穴４６とを有する。各長穴４６は、力伝達材すなわちピン３８の一つに係合するように構成された第一部分４８を有し、第一部材２２に対する第二部材２４の動きが、同時に第一部分４８を力伝達材３８に接触させ、かつ力伝達材３８を第一部分により規定された経路に沿って動かし、その力伝達材が、ガイド３２に沿ってつかみ材２６を作動させるようになされている。第一部分４８は経路を規定し、この経路は、第二開口４４の中心からの半径寸法に関して、第一外端５０から内端５２へと一様に減少することを、当業者は認識するであろう。他の実施例では、その経路は、第二開口４４の中心からの半径寸法に関して一様に増加し、第一および第二の部材間の相対移動が、つかみ材の外方動作を生じさせるようになされてもよい。あるいはまた、作動材がつかみ材すなわち工作物係合材と協働して動くように、ガイド、長穴、および力伝達材を、多くの異なった方法で相互作用するように構成してもよい。たとえば、一対の長穴が、一対の協働する第二部材の中に形成され、各々の長穴は、アーチ形経路を規定し、一対の長穴は、同時に力伝達材に作用し、力伝達材の動きに影響を与えることができる。
【００１６】
一実施例では、各長穴４６は、さらに、第一部分４８から延びる第二部分５４を有する。第二部分５４は経路を規定し、この経路は、第二開口４４の中心からの半径寸法に関して、内端５２から第二外端５６へと一様に一定していることを、当業者は認識するであろう。
【００１７】
本発明の一実施例では、第一部材２２は、さらに、第二部分５４に係合するため、および２つの部材２３ａ，２３ｂが使われる場合は、第一部材２２の部品２３ａ，２３ｂを位置決めし相互に連結するために、複数の位置合わせ部材５８を有する。各位置合わせ部材５８は、隣接した一対のガイド３２の間に配置され、力伝達材３８と平行に延在する。穴６０は、第一部材２３ａ，２３ｂに形成され、位置合わせ部材５８を受け入れて係合する。動作については、位置合わせ部材５８の各々は、第二部分５４の一つに係合し、したがって、第一部材２２と第二部材２４、すなわち第一および第二部材のそれぞれの間の相対回転中に、第一および第二開口３０，４４は、同心配置を保つ。第二部分５４は、第一部分４８という分岐路により誘発される力伝達材３８への力に対応して、位置合わせ部材５８に係合することを、当業者は認識するであろう。その結果、第一および第二開口３０，４４が、同心配置を保つだけでなく、つかみ材２６がガイド３２に沿って動かされ、同等、同様に移動する。
【００１８】
部材２３ａ，２３ｂを相互に連結し、ポケット６４を規定するため、スペーサ６２を利用する。その際、第二部材２４を常時開位置（図２および図３参照）に配置するために、前記ポケット内にバネ６６を配置し、第二部材に接触させるようにする。このスペーサは、位置合わせ穴６８に係合する圧入ピン６６、または他の任意の好適な器具、もしくは他の任意の好適な方法で、部材２３ａ，２３ｂの各々に連結される。
【００１９】
ロック機構７０を第一部材２２に連結し、第一作動位置（図４および図５参照）から第二作動位置（図２および図３参照）へのロック機構７０の作動動作により、第一部材２２および第二部材２４を任意の所望角度位置で固定するようになされている。ロック機構７０は、位置合わせ穴７４に係合する圧入ピン７２、または他の任意の好適な器具、もしくは他の任意の好適な方法で、部材２３ａ，２３ｂの間に連結すればよい。ロック機構７０の内端部すなわち作用端部７６は、カム面または偏心面として構成される。一実施例では、穴７４をロック機構７０の長軸から片寄った位置に配置することにより、これを達成できる。あるいはまた、偏心形状面を内端部すなわち作用端部７６上に規定する、または他の任意の好適な方法でもよい。
【００２０】
第一作動位置（図４および図５参照）にあるとき、ロック機構７０の内端部７６は、第二部材２４に対して間隙８２（図６参照）を規定する。第一作動位置から第二作動位置（図２および図３参照）へのロック機構７０の作動端部７８の動作は、穴７４のまわりで内端部７６を移動させ、作用端部７６が第二部材２４を拘束し、その結果、第一部材および第二部材を所望角度位置に固定することができる。
【００２１】
本発明の一実施例では、つかみ部２８は、６個のつかみ材２６を有する。しかしながら、つかみ部２８は、少なくともただ２つのつかみ材つまり係合部材２６を有する必要があり、他の任意の好適な個数のつかみ材、または工作物係合部材が提供されることを、当業者は認識するであろう。
【００２２】
図２は、開位置に配置された図１の自在つかみ具を示す。第二部材２４は、このような開位置を維持するために、上述したように第一部材２２から付勢されている。
【００２３】
ロック機構７０は、第二作動位置に配置され、第一部材２２および第二部材２４を所望角度位置で固定している。この実施例の自在つかみ具２０は、つかみ部２８および作動部４２が、周辺を取り巻くように工作物に係合するように構成されている。しかしながら、図２では、つかみ材２６は、自在つかみ具２０の開位置特有の方法で、アーム３６がガイド３２に係合するように配置されている。力伝達材３８および位置合わせ部材５８は、力伝達材がつかみ材２６および第一部材２２の各々に圧入されたように示されている。あるいはまた、力伝達材を、つかみ材または工作物係合部材の突起として製造できる。
【００２４】
図３は、第一部材２２の一つの部品を取り外した図２の自在つかみ具２０の断面図を示す。ポケット６４を規定するためにスペーサ６２が連結された部材２３ｂが示されており、ポケット６４内に配置されたバネ６６が、第二部材２４に接触し、第二部材２４を開位置に付勢するようになされている。上述したように、ロック機構７０は、第二作動位置において係合され、第一部材２３ｂおよび第二部材２４を所望開位置で固定している。位置合わせ部材５８は、第一部分４８と第二部分５４の間の分離点を規定する長穴４６の内端５２に配置されている。以下にさらに詳しく示して説明するように、力伝達材３８は、長穴４６の第一部分４８の外端５０に配置されている。
【００２５】
図４は、閉位置に配置された自在つかみ具２０を示し、第一部材２２および第二部材２４が、すぐ隣に配置されている。ロック機構７０は第一作動位置に、ロックされていない状態で配置されている。つかみ材２６は、図２および図３で示された開位置から、閉位置へ動かされ、つかみ材が工作物に係合するようになされている。
【００２６】
図５は、第二部材を通しての図４の自在つかみ具２０の断面図を示し、自在つかみ具が、第二作動位置、すなわち閉位置に配置されている。第一部材は、第二部材２４のすぐ隣に配置されている部材２３ｂにより表されている。力伝達材３８は、長穴４６の第一部分４８と接触した結果、外端５０から内端５２へ動かされた。位置合わせ部材５８は、長穴４６の第二部分５４の内端から、外端５６へ動かされた。長穴４６の第一および第二部分４８，５４により規定された経路は一点から分岐することを、当業者は認識するであろう。第一部材２２と第二部材２４の間の適切な方向を維持するために、位置合わせ部材５８は、長穴４６の第二部分５４に係合する。力伝達材３８は、長穴４６の第一部分４８に係合し、第一部分４８により規定された経路の直径寸法は、一様に減少している。このため、力伝達材は、第一および第二開口３０，４４の中心に近づくように移動する。したがって、同様に、つかみ材２６は、工作物に係合するようにガイド３２に沿って作動される。ロック機構７０は、第一作動位置に配置されている。また、長穴を逆にすることも可能であり、作動時に作動部材が中心から広がっていくように、動作を逆にすることもできる。
【００２７】
図６は、図４および図５の自在つかみ具２０の詳細切欠図を示す。ロック機構７０は、第一作動位置、すなわち開位置に配置されている。ロック機構７０は、ロック機構７０の縦軸から片寄った位置に配置されたピン７２により、第一部材２２に連結され、この第一作動位置では、ロック機構作用端部すなわち内端部７６と、第二部材２４との間に、間隙８２を規定するようになされている。
【００２８】
図７は、図６の自在つかみ具２０を示し、ロック機構７０は、第一作動位置（図６に示す）から第二作動位置へ移動されている。ロック機構７０の動作の結果、作用端部すなわち内端部７６と、第二部材２４との間隙が除去されている。したがって、ロック機構７０が第二部材２４を拘束し、最初にロック機構７０を解除しなければ、第一部材および第二部材２４を互いに対して動かすことができない。ロック機構７０を第一部材２２に取り付けるために使用されるピン７２は、多くの場合、ロック機構７０の長軸から片寄っていることを、当業者は認識するであろう。しかしながら、また、同一機能を可能とするために、内端部または作用端部７６に偏心面を形成してもよい。
【００２９】
図８は、自在つかみ具２０についての本発明の他の実施例を示し、３つのつかみ材２６のみが示されている。本発明の教示の範囲内として、つかみ部２８は、少なくとも一つのつかみ材２６を有するだけである。また、自在つかみ具２０の有効な作動をさらに促進するために、第一部材２２および第二部材２４に対してグリップ８４ａ，８４ｂを提供できる。本発明の非具体的な残りの構成および機能は、先に詳述したものと同じままである。
【００３０】
図９は、自在つかみ具２０を対象とする本発明のさらに他の実施例を示す。本発明のこの実施例では、つかみ部２８および作動部４２は、準環状に構成されている。このような構成は、レンチ２０が、横方向に、または半径方向に、工作物に係合することを可能にする。さらに、４つのつかみ材２６が、この実施例で示されている。本発明のこの実施例の、残りの構成および機能部材、ならびに態様は、先に詳述したものと同じままである。
【００３１】
図１０は、本発明の他の実施例を示し、自在つかみ具２０が、たとえば、管状部材などに係合する切断またはスコーリング器具として構成されている。この実施例では、第二部材２４は、略Ｕ字状に構成されている。このような構成は、巻きつけるか、折り曲げるか、成形して、図１０に示されるような単一部材として達成できる。この実施例のいくつかの構造部材の方向は、上述の工具の構成に照らして決められたことを、当業者は認識するであろう。その他の点では、この実施例の動作および機能は、上述の通りである。
【００３２】
第一および第二部材２２，２４は、相対回転可能に連結されており、つかみ材の直線運動を生じさせる。また、本発明の教示の範囲内として、工作物に切り傷をつけるか、または切断するようにつかみ材を構成できる。たとえば、一実施例では、上述したように工作物に係合するように構成された上述のつかみ材は、スコーリング機能または切断機能を実行するように構成されたつかみ材に置き換えられる。
【００３３】
図１１は、閉位置に配置された図１０の本発明の実施例の平面図を示す。第一および第二部材２２，２４は、つかみ材２６が第一開口３０に伸長し、工作物（図示せず）に係合するよう互いの方向に動かされた。図１０に示したように、この実施例は、パイプまたは他の好適な工作物などの管状部材に係合するように構成されている。たとえば、この実施例の鋭い先端のつかみ材で、ポリ塩化ビニール（「ＰＶＣ」）パイプを切断したり切り傷をつけたりすることができ、かつＰＶＣパイプを歪曲しない。その結果として、きれいで垂直な切断に加えて、ＰＶＣパイプは、その後の連結に問題が生じるような変形を引き起こさない。その他の点では、この実施例は、上述した他の工具のように機能する。
【００３４】
図１２は、第一部材２２を通しての図１０の自在つかみ具２０の断面図を示し、工具２０は、開位置に配置されている。ガイド３２内に配置されたつかみ材２６は、上述したように、すべての構造部材を有する。しかしながら、Ｕ字状本体よりむしろ、力伝達材は、本体部のそれぞれの側から伸長し、第二部材２４を構成する一対の部材２５ａ，２５ｂ（図１１の２５ｂ）の長穴に係合する。
【００３５】
図１３は、本発明の主要な態様に基づく自在つかみ具の他の実施例の斜視図を示す。本発明のこの実施例では、自在つかみ具２０は、第一部材２２から突出する延長部１００を備えるつかみ材２６を有する。延長部１００は、工具２０全体を近づけることが困難か、または問題となるようなスペースが限られた場所に配置された工作物に係合することを容易にする。本発明のこの実施例の、残りの構成部材および機能部材、ならびに態様は、先に詳述したものと同じままである。あるいはまた、クリンピング、切断、または他の任意の好適な機能などを、工具２０に追加することを可能とするために、延長部１００に他の構造部材を形成してもよい。
【００３６】
本発明は、説明された装置の詳細、および他の改良に制限されることなく、応用例を企図できる。たとえば、力伝達材および位置合わせ部材を、他の軸受部材に対して所望されるように変更することができる。つかみ材自体の寸法、形状、または数量を変えることができる。つかみ材は、カッタ、ローラ、または刃を装着し、切削動作またはスコーリング動作を実行することができる。また、特定用途に合わせて、開口の寸法、形状、および位置を所望のように変更できる。本発明の正確な要旨および範囲を逸脱することなく、他の特定変更を上述した装置に加えることができる。したがって、上述の内容は、例として解釈されるべきであり、制限を意味するものと解釈されるべきではない。
【図面の簡単な説明】
【００３７】
【図１】図１は、本発明の原理に基づく自在つかみ具の分解斜視図である。
【図２】図２は、開位置すなわち第一作動位置に配置された図１の自在つかみ具の平面図である。
【図３】図３は、第一部材の一部品を取り外した図２の自在つかみ具の断面図である。
【図４】図４は、閉位置すなわち第二作動位置に配置された図１の自在つかみ具の平面図である。
【図５】図５は、図４の自在つかみ具の第二部材を通る線に沿った断面図である。
【図６】図６は、第一部材の一部品を取り外した図４の自在つかみ具の詳細な切欠断面図である。
【図７】図７は、ロック機構がロック位置すなわち第二作動位置に配置された図６の自在つかみ具の詳細な切欠断面図である。
【図８】図８は、本発明の原理に基づく自在つかみ具の他の実施例の平面図である。
【図９】図９は、本発明の原理に基づく自在つかみ具のさらに他の実施例の平面図である。
【図１０】図１０は、本発明の原理に基づく自在つかみ具の他の実施例の斜視図である。
【図１１】図１１は、閉位置すなわち第二作動位置に配置された図１０の自在つかみ具の平面図である。
【図１２】図１２は、図１１の自在つかみ具の第二部材を通る線に沿った断面図である。
【図１３】図１３は、本発明の主要な態様に基づく自在つかみ具の他の実施例の斜視図である。
【図１】
2007518584.tif 000003
【図２】
2007518584.tif 000004
【図３】
2007518584.tif 000005
【図４】
2007518584.tif 000006
【図５】
2007518584.tif 000007
【図６】
2007518584.tif 000008
【図７】
2007518584.tif 000009
【図８】
2007518584.tif 000010
【図９】
2007518584.tif 000011
【図１０】
2007518584.tif 000012
【図１１】
2007518584.tif 000013
【図１２】
2007518584.tif 000014
【図１３】
2007518584.tif 000015
【手続補正書】
【提出日】平成18年7月25日(2006.7.25)
【手続補正１】
【補正対象書類名】明細書
【補正対象項目名】００１８
【補正方法】変更
【補正の内容】
【００１８】
部材２３ａ，２３ｂを相互に連結し、ポケット６４を規定するため、スペーサ６２を利用する。その際、第二部材２４を常時開位置（図２および図３参照）に配置するために、前記ポケット内にバネ６６を配置し、第二部材に接触させるようにする。このスペーサは、位置合わせ穴６８に係合する圧入ピン６７、または他の任意の好適な器具、もしくは他の任意の好適な方法で、部材２３ａ，２３ｂの各々に連結される。
【手続補正２】
【補正対象書類名】図面
【補正対象項目名】図１
【補正方法】変更
【補正の内容】
【図１】
2007518584.tif 000016
【手続補正３】
【補正対象書類名】図面
【補正対象項目名】図６
【補正方法】変更
【補正の内容】
【図６】
2007518584.tif 000017
【手続補正４】
【補正対象書類名】図面
【補正対象項目名】図７
【補正方法】変更
【補正の内容】
【図７】
2007518584.tif 000018
【手続補正書】
【提出日】平成19年2月22日(2007.2.22)
【手続補正１】
【補正対象書類名】特許請求の範囲
【補正対象項目名】全文
【補正方法】変更
【補正の内容】
【特許請求の範囲】
【請求項１】
工作物に加工を施すために工作物に係合する自在つかみ具であって、
相対回転して少なくとも一つのつかみ材を動かすよう連結された第一部材と第二部材とを備え、
前記第一部材はつかみ部を有し、このつかみ部は、第一開口と、その第一開口から延びる少なくとも一つのガイドと、前記少なくとも一つのつかみ材とを有して、前記工作物に係合するよう構成され、
少なくとも一つのつかみ材の各々は、前記工作物に係合するための本体部と、前記少なくとも一つのガイドの一つに係合するよう構成されたアーム部と、前記アーム部に隣接する力伝達材とを有し、
前記第二部材は作動部を有し、この作動部は、前記第一開口と同心の第二開口と、前記第二開口の外側に隣接して配置される少なくとも一つの長穴とを有し、
前記少なくとも一つの長穴の各々は、前記少なくとも一つのつかみ材の一つの前記力伝達材に係合するよう構成された第一部分を有し、
前記第一部材に対する前記第二部材の動きが、少なくとも一つの第一部分の各々を、各力伝達材に接触させて動かし、
その力伝達材が、前記少なくとも一つのつかみ材の各々を、前記少なくとも一つのガイドの各々に沿って作動させる
ことを特徴とする自在つかみ具。
【請求項２】
前記第一部材に配置され、前記第一部材と第二部材とを所望角度位置に固定するよう作動可能なロック機構をさらに有する
ことを特徴とする請求項１に記載のつかみ具。
【請求項３】
工作物に加工を施すために工作物に係合する自在つかみ具であって、
相対回転して少なくとも一つのつかみ材を動かすよう連結された第一部材と第二部材とを備え、
前記第一部材は、前記第二部材の対向面に配置された一対の部材を有し、
前記第一部材はつかみ部を有し、このつかみ部は、第一開口と、その第一開口から延びる少なくとも一つのガイドと、前記少なくとも一つのつかみ材とを有して、前記工作物に係合するよう構成され、
少なくとも一つのつかみ材の各々は、前記工作物に係合するための本体部と、前記少なくとも一つのガイドの一つに係合するよう構成されたアーム部と、前記アーム部に隣接する力伝達材とを有し、
前記第二部材は作動部を有し、この作動部は、前記第一開口と同心の第二開口と、前記第二開口に隣接して配置される少なくとも一つの長穴とを有し、
前記少なくとも一つの長穴の各々は、前記少なくとも一つのつかみ材の一つの前記力伝達材に係合するよう構成された第一部分を有し、
前記第一部材に対する前記第二部材の動きが、少なくとも一つの第一部分の各々を、各力伝達材に接触させて動かし、
その力伝達材が、前記少なくとも一つのつかみ材の各々を、前記少なくとも一つのガイドの各々に沿って作動させる
ことを特徴とする自在つかみ具。
【請求項４】
スペーサが前記一対の部材を互いに連結してポケットを規定し、
そのポケット内に配置されたバネが前記第二部材に接触して、前記第二部材は、通常、開位置に配置される
ことを特徴とする請求項３に記載のつかみ具。
【請求項５】
工作物に加工を施すために工作物に係合する自在つかみ具であって、
相対回転して少なくとも一つのつかみ材を動かすよう連結された第一部材と第二部材とを備え、
前記第一部材はつかみ部を有し、このつかみ部は、第一開口と、その第一開口から延びる少なくとも一つのガイドと、前記少なくとも一つのつかみ材とを有して、前記工作物に係合するよう構成され、
少なくとも一つのつかみ材の各々は、前記工作物に係合するための本体部と、前記少なくとも一つのガイドの一つに係合するよう構成されたアーム部と、前記アーム部に隣接する力伝達材とを有し、
前記つかみ材の前記アーム部は、さらに、前記本体部の両端に配置された一対のアームを有し、前記つかみ材が略Ｕ字状をなすようにされており、
前記第二部材は作動部を有し、この作動部は、前記第一開口と同心の第二開口と、前記第二開口に隣接して配置される少なくとも一つの長穴とを有し、
前記少なくとも一つの長穴の各々は、前記少なくとも一つのつかみ材の一つの前記力伝達材に係合するよう構成された第一部分を有し、
前記第一部材に対する前記第二部材の動きが、少なくとも一つの第一部分の各々を、各力伝達材に接触させて動かし、
その力伝達材が、前記少なくとも一つのつかみ材の各々を、前記少なくとも一つのガイドの各々に沿って作動させる
ことを特徴とする自在つかみ具。
【請求項６】
前記第一部材は、さらに、複数のピンを有し、
一のピンは、隣接した一対のガイド間に配置され、前記力伝達材と平行に延在する
ことを特徴とする請求項１に記載のつかみ具。
【請求項７】
前記各長穴は、さらに、前記第一部分から延びる第二部分を有し、
前記ピンの一つが、前記第二部分の一つに係合し、前記第一部材と前記第二部材との間の相対回転中、前記第一および第二開口が同心配置を保つようにされた
ことを特徴とする請求項６に記載のつかみ具。
【請求項８】
前記第一および第二部分が一点から分岐する
ことを特徴とする請求項７に記載のつかみ具。
【請求項９】
前記つかみ部および作動部は、前記工作物に周方向に係合する
ことを特徴とする請求項１に記載のつかみ具。
【請求項１０】
前記つかみ部および作動部は、準環状に構成されている
ことを特徴とする請求項１に記載のつかみ具。
【請求項１１】
前記つかみ部は、複数のつかみ材を有する
ことを特徴とする請求項１に記載のつかみ具。
【請求項１２】
ロック機構が、前記一対の部材間で前記第一部材に連結され、
前記ロック機構が第一作動位置から第二作動位置へ動くことにより、前記第一部材と第二部材とを所望角度位置で固定する
ことを特徴とする請求項３に記載のつかみ具。
【請求項１３】
工作物に加工を施すために工作物に係合する自在つかみ具であって、
相対回転して少なくとも一つのつかみ材を動かすよう連結された第一部材と第二部材とを備え、
前記第一部材はつかみ部を有し、このつかみ部は、第一開口と、その第一開口から延びる少なくとも一つのガイドと、前記少なくとも一つのつかみ材とを有して、前記工作物に係合するよう構成され、
少なくとも一つのつかみ材の各々は、前記工作物に係合するための本体部と、前記少なくとも一つのガイドの一つに係合するよう構成されたアーム部と、前記アーム部に隣接する力伝達材とを有し、
前記第二部材は作動部を有し、この作動部は、前記第一開口と同心の第二開口と、前記第二開口に隣接して配置される少なくとも一つの長穴とを有し、
前記少なくとも一つの長穴の各々は、前記少なくとも一つのつかみ材の一つの前記力伝達材に係合するよう構成された第一部分を有し、
前記第一部材に対する前記第二部材の動きが、少なくとも一つの第一部分の各々を、各力伝達材に接触させて動かし、
その力伝達材が、前記少なくとも一つのつかみ材の各々を、前記少なくとも一つのガイドの各々に沿って作動させるようなされ、
ある機能を果たす前記つかみ材は、別の機能を果たすつかみ材に置き換え可能とされた
ことを特徴とする自在つかみ具。
【請求項１４】
工作物に加工を施すために工作物に係合する自在つかみ具であって、
相対回転して少なくとも一つのつかみ材を動かすよう連結された第一部材と第二部材とを備え、
前記第一部材はつかみ部を有し、このつかみ部は、第一開口と、その第一開口から延びる少なくとも一つのガイドと、前記少なくとも一つのつかみ材とを有して、前記工作物に係合するよう構成され、
少なくとも一つのつかみ材の各々は、前記工作物に係合するための本体部と、前記少なくとも一つのガイドの一つに係合するよう構成されたアーム部と、前記アーム部に隣接する力伝達材とを有し、
前記第二部材は作動部を有し、この作動部は、前記第一開口と同心の第二開口と、前記第二開口に隣接して配置される少なくとも一つの長穴とを有し、
前記少なくとも一つの長穴の各々は、前記少なくとも一つのつかみ材の一つの前記力伝達材に係合するよう構成された第一部分を有し、
前記第一部材に対する前記第二部材の動きが、少なくとも一つの第一部分の各々を、各力伝達材に接触させて動かし、
その力伝達材が、前記少なくとも一つのつかみ材の各々を、前記少なくとも一つのガイドの各々に沿って作動させるようなされ、
前記つかみ材は、切り目を付けて切断する
ことを特徴とする自在つかみ具。
【請求項１５】
工作物に加工を施すために工作物に係合する自在つかみ具であって、
相対回転して少なくとも一つのつかみ材を動かすよう連結された第一部材と第二部材とを備え、
前記第一部材はつかみ部を有し、このつかみ部は、第一開口と、その第一開口から延びる少なくとも一つのガイドと、前記少なくとも一つのつかみ材とを有して、前記工作物に係合するよう構成され、
少なくとも一つのつかみ材の各々は、前記工作物に係合するための本体部と、前記少なくとも一つのガイドの一つに係合するよう構成されたアーム部と、前記アーム部に隣接する力伝達材とを有し、
前記第二部材は作動部を有し、この作動部は、前記第一開口と同心の第二開口と、前記第二開口に隣接して配置される少なくとも一つの長穴とを有し、
前記少なくとも一つの長穴の各々は、前記少なくとも一つのつかみ材の一つの前記力伝達材に係合するよう構成された第一部分を有し、
前記第一部材に対する前記第二部材の動きが、少なくとも一つの第一部分の各々を、各力伝達材に接触させて動かし、
その力伝達材が、前記少なくとも一つのつかみ材の各々を、前記少なくとも一つのガイドの各々に沿って作動させるようなされ、
前記少なくとも一つのつかみ材の動きが直線的である
ことを特徴とする自在つかみ具。
【請求項１６】
工作物に加工を施すために工作物に係合する自在つかみ具であって、
相対回転して少なくとも一つのつかみ材を動かすよう連結された第一部材と第二部材とを備え、
前記第一部材はつかみ部を有し、このつかみ部は、第一開口と、その第一開口から延びる少なくとも一つのガイドと、前記少なくとも一つのつかみ材とを有して、前記工作物に係合するよう構成され、
少なくとも一つのつかみ材の各々は、前記工作物に係合するための本体部と、前記少なくとも一つのガイドの一つに係合するよう構成されたアーム部と、前記アーム部に隣接する力伝達材とを有し、
前記第二部材は作動部を有し、この作動部は、前記第一開口と同心の第二開口と、前記第二開口に隣接して配置される少なくとも一つの長穴とを有し、
前記少なくとも一つの長穴の各々は、前記少なくとも一つのつかみ材の一つの前記力伝達材に係合するよう構成された第一部分を有し、
前記第一部材に対する前記第二部材の動きが、少なくとも一つの第一部分の各々を、各力伝達材に接触させて動かし、
その力伝達材が、前記少なくとも一つのつかみ材の各々を、前記少なくとも一つのガイドの各々に沿って作動させるようなされ、
前記少なくとも一つのつかみ材の動きが曲線をなす
ことを特徴とする自在つかみ具。
【請求項１７】
前記少なくとも一つのガイドは、複数のガイドである
ことを特徴とする請求項１に記載のつかみ具。
【請求項１８】
少なくとも一つのガイドの各々が、放射状に延びる
ことを特徴とする請求項１に記載のつかみ具。
【請求項１９】
少なくとも一つのガイドの各々が、曲線経路に沿って延びる
ことを特徴とする請求項１に記載のつかみ具。
【請求項２０】
工作物に加工を施すために工作物に係合する自在つかみ具であって、
相対回転可能に連結された第一部材と第二部材とを備え、
前記第二部材は、複数の長穴を備える作動部を有し、その各長穴は、第一部分と第二部分とを有し、その第一部分と第二部分とは、それぞれ分岐する経路を規定し、
前記第一部材は、複数のつかみ材を備えるつかみ部と、少なくとも一つの位置合わせ部材とを有し、各つかみ材は、それに隣接する力伝達材を有し、前記位置合わせ部材の一つは、一対のつかみ材間に配置され、
前記力伝達材の一つは第一部分の一つに係合し、かつ前記位置合わせ部材の一つは第二部分の一つに係合して、前記第一部材に対する前記第二部材の動きにより、前記第一部分が前記各力伝達材に接触して、前記つかみ材を作動させ、かつ前記第二部分が前記位置合わせ部材に接触して、第二部材に対する第一部材の位置を保持する
ことを特徴とする自在つかみ具。
【請求項２１】
前記第一部材が第一開口を有し、かつ前記第二部材が第二開口を有し、
これらの開口は、相対動作時、同心に配置される
ことを特徴とする請求項２０に記載のつかみ具。
【請求項２２】
ロック機構が、前記第一部材と第二部材とを所望角度位置に固定するよう動作可能に、前記第一部材に配置される
ことを特徴とする請求項２０に記載のつかみ具。
【請求項２３】
前記つかみ部および作動部は、前記工作物に周方向に係合する
ことを特徴とする請求項２０に記載のつかみ具。
【請求項２４】
前記つかみ部および作動部は、準環状に構成されている
ことを特徴とする請求項２０に記載のつかみ具。
【請求項２５】
工作物に加工を施すために工作物に係合する自在つかみ具であって、
相対回転可能に連結された第一部材と第二部材とを備え、
前記第二部材は、複数の長穴を備える作動部を有し、その各長穴は、第一部分と第二部分とを有し、その第一部分と第二部分とは、それぞれ分岐する経路を規定し、
前記第一部材は、複数のつかみ材を備えるつかみ部と、少なくとも一つの位置合わせ部材とを有し、各つかみ材は、それに隣接する力伝達材を有し、前記位置合わせ部材の一つは、一対のつかみ材間に配置され、
ある機能を果たす前記つかみ材は、別の機能を果たすつかみ材に置き換え可能とされ、
前記力伝達材の一つは第一部分の一つに係合し、かつ前記位置合わせ部材の一つは第二部分の一つに係合して、前記第一部材に対する前記第二部材の動きにより、前記第一部分が前記各力伝達材に接触して、前記つかみ材を作動させ、かつ前記第二部分が前記位置合わせ部材に接触して、第二部材に対する第一部材の位置を保持する
ことを特徴とする自在つかみ具。
【請求項２６】
工作物に加工を施すために工作物に係合する自在つかみ具であって、
相対回転可能に連結された第一部材と第二部材とを備え、
前記第二部材は、複数の長穴を備える作動部を有し、その各長穴は、第一部分と第二部分とを有し、その第一部分と第二部分とは、それぞれ分岐する経路を規定し、
前記第一部材は、複数のつかみ材を備えるつかみ部と、少なくとも一つの位置合わせ部材とを有し、各つかみ材は、それに隣接する力伝達材を有し、前記位置合わせ部材の一つは、一対のつかみ材間に配置され、
前記つかみ材は、切り目を付けて切断することが可能であり、
前記力伝達材の一つは第一部分の一つに係合し、かつ前記位置合わせ部材の一つは第二部分の一つに係合して、前記第一部材に対する前記第二部材の動きにより、前記第一部分が前記各力伝達材に接触して、前記つかみ材を作動させ、かつ前記第二部分が前記位置合わせ部材に接触して、第二部材に対する第一部材の位置を保持する
ことを特徴とする自在つかみ具。
【手続補正２】
【補正対象書類名】図面
【補正対象項目名】図１
【補正方法】変更
【補正の内容】
【図１】
2007518584.tif 000019
【国際調査報告】
2007518584.tif 000020